(57)【要約】【課題】  静止画に写る人物の数に応じて、各静止画の再生時間が最適に設定されたスライドショーを可能とする。【解決手段】  複数の静止画を順番に再生表示するスライドショーが実行される際、各静止画に写る人物の被写体の数が特定される。特定された人数に応じて各静止画の再生時間が算出される。静止画の中央部に位置する人物の数と、静止画の周辺部に位置する人物の数が計数され、中央部に人物が位置する場合よりも、周辺部に人物が位置する場合の方が短い再生時間となる。また、中央部と周辺部の合計人数が予め決められた基準人数Ｍよりも大きい場合に比べ、合計人数が小さい場合の方が人物一人について加算される再生時間が長くなる。【選択図】        図５
2006245646.tif 000002
【特許請求の範囲】
【請求項１】
複数の静止画をディスプレイの画面上に順番に再生表示する画像再生装置において、
各静止画から人物の被写体を検出し、その人数を特定する人数特定手段と、
特定された人数から各静止画を再生表示する時間を設定する再生時間設定手段とを備えたことを特徴とする画像再生装置。
【請求項２】
前記人数特定手段は、人物の顔画像を検出することにより人数を特定することを特徴とする請求項１記載の画像再生装置。
【請求項３】
前記人数特定手段は、検出された人物の顔画像のサイズを算出する顔サイズ算出手段と、顔画像のサイズが基準値より大きいか否かを判定する判定手段とを備え、前記顔画像のサイズが基準値より小さい人物を除外して人数を特定することを特徴とする請求項２記載の画像再生装置。
【請求項４】
前記人数特定手段は、人物の両眼から顔画像を検出することを特徴とする請求項２又は３記載の画像再生装置。
【請求項５】
前記再生時間設定手段は、人物の被写体が前記静止画の中央部に位置する場合、人物の被写体が前記静止画の周辺部に位置する場合よりも、人物一人につき加算される再生時間を長くすることを特徴とする請求項１ないし４にいずれか１つ記載の画像再生装置。
【請求項６】
前記再生時間設定手段は、特定された人数が所定数以上であるときに、人数ごとに加算される再生時間を短くすることを特徴とする請求項１ないし４にいずれか１つ記載の画像再生装置。
【請求項７】
複数の静止画をディスプレイの画面上に順番に再生表示するための画像再生プログラムにおいて、
各静止画から人物の被写体を検出し、その人数を算出する人数特定手段と、
算出された人数から各静止画を再生表示する時間を決定する再生時間設定手段としてコンピュータを機能させることを特徴とする画像再生プログラム。
【請求項８】
素材となる静止画から特殊エフェクトが付与されたフォトムービーを作成するフォトムービー作成装置において、
各静止画から人物の被写体を検出し、その人数を算出する人数特定手段と、
算出された人数からフォトムービーの再生時間を決定する再生時間設定手段とを備えたことを特徴とするフォトムービー作成装置。
【請求項９】
素材となる静止画から特殊エフェクトが付与されたフォトムービーを作成するためのフォトムービー作成プログラムにおいて、
各静止画から人物の被写体を検出し、その人数を算出する人数特定手段と、
算出された人数からフォトムービーの再生時間を決定する再生時間設定手段としてコンピュータを機能させることを特徴とするフォトムービー作成プログラム。
【発明の詳細な説明】
【技術分野】
【０００１】
本発明は、人物の被写体が写る静止画を再生表示するのに好適な画像再生装置及び画像再生プログラム、並びに人物の被写体が写る静止画を素材としてフォトムービーを作成するのに好適なフォトムービー作成装置及びフォトムービー作成プログラムに関する。
【背景技術】
【０００２】
デジタルスチルカメラで撮影した静止画は、印画紙にプリントして観賞する他に、パーソナルコンピュータ（ＰＣ）に取り込み、画像ビューアソフトを使用してモニタに表示して楽しむこともできる。多くの画像ビューアソフトは、複数枚の静止画を所定時間ごとに順次切り替えて表示するスライドショー機能を有し、これを利用して多数の静止画を簡単な操作で観賞することができる。最近では、撮影した画像のスライドショーをその場で楽しむことができるデジタルスチルカメラも販売されている。
【０００３】
従来の画像ビューアソフトでは、スライドショーとして複数の静止画を自動的に切り換えて再生表示する際、全ての静止画の再生時間が均等に設定される。このため、例えば同じ風景画であっても、空や水面が大きく写る風景画のように一目見るだけで十分な比較的単調な静止画と、森林や川が写る山間の風景画のように風景の隅々まで観賞したい静止画の再生時間が同じになる。したがって、単調な静止画に合わせて再生時間を設定すると、ゆっくり観賞したい静止画を十分に観賞できなくなり、ゆっくり観賞したい静止画に合わせて再生時間を設定すると、単調な静止画が冗長的になる。そこで、静止画をその解像度やコントラストに基づいて解析し、各静止画の再生時間を静止画の内容に応じてそれぞれ決定する画像再生装置が知られている（特許文献１参照）。
【０００４】
また、静止画を手軽に観賞する他の方法として、静止画の一部を拡大するズームイン処理や、静止画の端から端へ視点を移動させるパーン処理などの特殊エフェクトを付与した動画として再生するフォトムービーが知られている（例えば、特許文献２及び非特許文献１参照）。フォトムービーは、静止画を部分的に切り出した画像や、歪みを与えるイメージ変換を行った画像等から動画の１フレームを作成し、特定の被写体を強調する演出、静止画に臨場感を与える表現が行え、静止画の新たな保存形態として注目されている。
【０００５】
フォトムービーは、素材となる静止画と特殊エフェクトの種類、再生時間が決められた１つのシーンを構成単位とし、複数の静止画を使用する場合には複数のシーンが繋ぎ合わされて構成される。スライドショーと異なり、各シーンの再生時間はユーザーの判断により決めることができるので、大事な静止画を用いたシーンは再生時間を長くし、それ以外の静止画を用いたシーンの再生時間は短くすることができる。
【特許文献１】特開２００４−３２０３７９号公報
【特許文献２】特開平１０−２００８４３号公報
【非特許文献３】カノープス株式会社  Imaginate2.0  ［平成１６年１１月１日検索］インターネット＜ＵＲＬ：http://www.canopus.co.jp/catalog/imaginate/imaginate20#index.htm＞
【発明の開示】
【発明が解決しようとする課題】
【０００６】
従来では、ポートレート写真のように写る人物が少なく一目見るだけで十分な静止画と、集合写真のように写る人物が多く人物の顔を一人ずつ追いかけてゆく必要のある静止画とを区別することがユーザーにより行われる。このため、各静止画の再生時間又はシーンの再生時間をユーザーの判断により決定するしかなく、静止画の数が多くなると非常に面倒な作業になるという問題が生じる。
【０００７】
本発明は、上記問題点を考慮してなされたもので、各静止画の内容に基づいて最適な再生時間を個別に設定することが可能な画像再生装置及び画像再生プログラム、並びにフォトムービー作成装置及びフォトムービー作成プログラムを提供することを目的とする。
【課題を解決するための手段】
【０００８】
上記目的を達成するために本発明の画像再生装置は、複数の静止画をディスプレイの画面上に順番に再生表示するものであって、各静止画から人物の被写体を検出し、その人数を特定する人数特定手段と、特定された人数から各静止画を再生表示する時間を設定する再生時間設定手段とを備えたことを特徴とする。
【０００９】
また、前記人数特定手段は、人物の顔画像を検出することにより人数を特定することを特徴とする。
【００１０】
前記人数特定手段は、検出された人物の顔画像のサイズを算出する顔サイズ算出手段と、顔画像のサイズが基準値より大きいか否かを判定する判定手段とを備え、前記顔画像のサイズが基準値より小さい人物を除外して人数を特定することを特徴とする。
【００１１】
前記人数特定手段は、人物の両眼から顔画像を検出することを特徴とする。
【００１２】
前記再生時間設定手段は、人物の被写体が前記静止画の中央部に位置する場合、人物の被写体が前記静止画の周辺部に位置する場合よりも、人物一人につき加算される再生時間を長くすることを特徴とする。
【００１３】
前記再生時間設定手段は、特定された人数が所定数以上であるときに、人数ごとに加算される再生時間を短くすることを特徴とする。
【００１４】
本発明の画像再生プログラムは、複数の静止画をディスプレイの画面上に順番に再生表示するためのものであって、各静止画から人物の被写体を検出し、その人数を算出する人数特定手段と、算出された人数から各静止画を再生表示する時間を決定する再生時間設定手段としてコンピュータを機能させることを特徴とする。
【００１５】
本発明のフォトムービー作成装置は、素材となる静止画から特殊エフェクトが付与されたフォトムービーを作成するものであって、各静止画から人物の被写体を検出し、その人数を算出する人数特定手段と、算出された人数からフォトムービーの再生時間を決定する再生時間設定手段とを備えたことを特徴とする。
【００１６】
本発明のフォトムービー作成プログラムは、素材となる静止画から特殊エフェクトが付与されたフォトムービーを作成するためのものであって、各静止画から人物の被写体を検出し、その人数を算出する人数特定手段と、算出された人数からフォトムービーの再生時間を決定する再生時間設定手段としてコンピュータを機能させることを特徴とする。
【発明の効果】
【００１７】
本発明の画像再生装置によれば、静止画に写る人物の数に基づいて各静止画の再生時間を設定するから、人物の数が少ない時ほど静止画の再生時間を短くし、人物の数が多い時ほど再生時間を長くできる。これにより、写る人物が少ない静止画の再生時間が長くならず、冗長的なスライドショーになることを防止できる。また、写る人物が多い静止画の再生時間が短くならず、観賞者が多数の人物の顔を一人ずつ目で追いかける間に次の静止画に切り替わることを防止できる。
【００１８】
人物の顔画像を検出することによって人数を算出するから、撮影範囲の外に顔が位置する偶然通りがかった人物等を除外し、主要被写体として写る人物の数をより正確に算出できる。
【００１９】
また、顔画像の大きさが基準値より大きい人物の数を算出するから、背景に小さく写る人物を除外して、主要被写体として写る人物の数をより正確に算出できる。
【００２０】
また、人物の両眼を抽出することにより顔画像を検出しているから、人物の顔を高い精度で検出することができ、両眼距離を顔の大きさとして求めることができるから、主要被写体として写る人物の数をさらに正確に算出することができる。
【００２１】
静止画の中央に位置する人物について加算される再生時間を、周辺部に位置する人物について加算される再生時間よりも長くするから、主要被写体の可能性が高い中央部に写る人物の数が多いほど重み付けされて再生時間が長くなり、主要被写体の可能性が低い周辺部に写る人物が多いほど再生時間が短くなる。これにより、様々な撮影シーンの静止画について適切な再生時間を設定することができる。
【００２２】
算出された人数が所定の数以上であるときには、人数ごとに加算される再生時間を短くするから、比較的小さく写る人物が多数存在する集合写真でも、人数分に応じた長い再生時間とせず、適切な再生時間を設定することができる。
【００２３】
また、フォトムービーを作成する際に、素材となる静止画に写る人物の数に応じて各シーンの再生時間を適切な長さに自動的に設定することができ、使用する静止画の数が多い場合でも、観賞するのに快適な高品位のフォトムービーを容易に作成することができる。
【発明を実施するための最良の形態】
【００２４】
図１において、画像再生装置１０は、ＣＰＵ１１により電気的な動作が管理される。ＣＰＵ１１は、メモリ１２に記憶された画像再生プログラムを実行し、記憶媒体に画像データとして記憶された画像データを読取り、静止画を再生表示するための表示信号を出力する。メモリ１２は、記憶媒体から読取られた画像データが記憶されると共に、ＣＰＵ１１が画像再生プログラムを実行することにより生じる演算データ等が記憶される。
【００２５】
画像再生装置１０には、光ディスク１３から画像データを読取る光ディスク読取り部１４と、メモリカード１５から画像データを読取るメモリカード読取り部１６とが設けられている。光ディスク読取り部１４は、セットされた光ディスク１３を検知し、その検知信号をＣＰＵ１１に送る。メモリカード読取り部１６は、セットされたメモリカード１５を検知し、その検知信号をＣＰＵ１１に送る。
【００２６】
操作部１８は、例えば、再生表示する静止画を指定する際に、ユーザーによる入力操作がなされる。操作部１８はＣＰＵ１１に操作信号を送り、ＣＰＵ１１は操作信号に基づく処理を実行する。画像表示パネル１９は、液晶表示パネルからなり、画像データとして読取られた静止画を画面上に表示する。ＣＰＵ１１は、画像再生プログラムを実行することにより、両眼抽出部２２、両眼座標算出部２３、顔位置判定部２４、両眼距離算出部２５、両眼距離判定部２６、被写体人数算出部２７、再生時間設定部２８として機能する。
【００２７】
図２において、両眼抽出部２２は、１枚の静止画から人物の被写体の顔画像を検出するために人物の眼と推定される画像を抽出する。両眼抽出部２２は、静止画を複数の領域に分割し、分割された分割領域Ｓ１のそれぞれから、斜線部で示す皮膚と推定される肌色の画素を多く含む分割領域Ｓ１を選び出す。さらに、肌色の画素を多く含む領域から眼部の白色画素と白色の画素に包囲された瞳と推定される色の画素を有する領域を選び出すことにより、人物の眼を抽出する。
【００２８】
両眼座標算出部２３は、抽出された人物の眼の座標を特定し、その周辺の顔の特徴から一人の人物の両眼を特定する。また、両眼の抽出された人物の被写体の数Ｎを算出し、各人物の両眼座標の中点を顔座標Ｐ（Ｎ）としてそれぞれ算出する。
【００２９】
図３において、顔位置判定部２４は、人物の顔座標Ｐ（Ｎ）が、静止画の中央部に画定される正方形の中央エリアＡ１に属するか、その外部の周辺エリアＡ２に属するかを判定する。顔位置判定部２４は、両眼の抽出された全ての人物が静止画の中央エリアＡ１に位置するか、周辺エリアＡ２に位置するかを判定する。なお、中央エリアＡ１は正方形に限らず、長方形や楕円形、その他の形状であってもよい
【００３０】
両眼距離算出部２５は、両眼座標算出部２３により求められた一人の人物の両眼座標から、その両眼距離ｄ（Ｎ）を人物の顔の大きさとして算出する（図２参照）。両眼距離ｄ（Ｎ）は、両眼の抽出された人物ごとに求められる。両眼距離判定部２６は、算出された両眼距離ｄ（Ｎ）を予め決められた基準値Ｄと比較し、両眼距離ｄ（Ｎ）が基準値Ｄよりも大きいか否かを判定する。
【００３１】
基準値Ｄは、主要被写体となる人物と、背景に写り込んだ人物とを区別するために設定された閾値である。基準値Ｄは、静止画の解像度に対する所定の割合から決められる数値であり、高解像度の静止画では大きい値となり、低解像度の静止画では小さい値となる。
【００３２】
被写体人数算出部２７は、顔位置判定部２４により、顔座標Ｐ（Ｎ）が中央エリアＡ１と周辺エリアＡ２のいずれに属するかが判定された人物のうち、両眼距離ｄ（Ｎ）がＤより小さいと判定された人物を除外し、中央エリアＡ１に属する人数Ｎａと、周辺エリアＡ２に属する人数Ｎｂをそれぞれ計数する。
【００３３】
再生時間設定部２８は、中央エリアＡ１に属する人数Ｎａと、周辺エリアＡ２に属する人数Ｎｂに基づいて、静止画の再生時間Ｔを算出する。再生時間Ｔを算出する際、人数Ｎａと人数Ｎｂの合計値が基準人数Ｍを上回るか否かが判定される。人数の合計値が基準人数Ｍより大きい時と小さい時とでは、再生時間Ｔを求めるための計算式が異なる。基準人数Ｍは例えば１０人である。
【００３４】
合計人数が基準人数Ｍより大きい場合、再生時間Ｔは、定数Ｔ０と、中央エリアＡ１の人数Ｎａに係数Ｔ１を乗じた数と、周辺エリアＡ２の人数Ｎｂに係数Ｔ２を乗じた数の合計値によって求められる。また、合計人数が基準人数Ｍより小さい場合、再生時間Ｔは、定数Ｔ０と、中央エリアＡ１の人数Ｎａに係数Ｔ３を乗じた数と、周辺エリアＡ２の人数Ｎｂに係数Ｔ３を乗じた数の合計値によって求められる。
【００３５】
係数Ｔ１は係数Ｔ２よりも大きく、係数Ｔ３は係数Ｔ４よりも大きい。すなわち、周辺エリアＡ２に多くの人物が位置する場合よりも、中央エリアＡ１に多くの人物が位置する場合の方が、人物の一人について加算される再生時間が長くなる。また、係数Ｔ１は係数Ｔ３よりも小さく、合計人数が基準人数Ｍより大きい場合は、基準人数Ｍより小さい場合に比べ、中央エリアＡ１に属する人物の一人あたりに加算される再生時間が短い。係数Ｔ２は係数Ｔ４よりも小さく、合計人数が基準人数Ｍより大きい場合は、基準人数Ｍより小さい場合に比べ、周辺エリアＡ２に属する人物の一人あたりに加算される再生時間が短くなる。この計算式により、合計人数が基準人数Ｍより大きい場合に、再生時間Ｔが過度に長い時間になることが防止される。
【００３６】
次に画像再生装置１０の作用を説明する。光ディスク読取り部１４に光ディスク１３をセットするか、メモリカード読取り部１６にメモリカード１５をセットすると、これが検知され、ＣＰＵ１１は画像の読取りを開始する。ＣＰＵ１１は、メモリ１２に読取った静止画の画像データを格納する。ＣＰＵ１１は、読取った静止画の画像データから、サムネイル画像の画像データを作成し、画像表示パネル１９に縮小した静止画を一覧表示するインデックス画面を表示する。ユーザーにより操作部１８が操作され、画像表示パネル１９にスライドショーとして表示する静止画が選択される。なお、この時に静止画を表示する順序を変更することもできる。
【００３７】
図４及び図５において、両眼抽出部２２は、静止画の選択が終了すると、１枚目の静止画の画像データを読み込み、静止画に写る人物の眼を抽出する。この時、静止画から人物の眼が抽出されない時は、人物の被写体がない風景画であると判断され、再生時間Ｔは定数Ｔ０となる。一方、人物の眼が抽出された時、両眼座標算出部２３は、一人の人物の両眼を特定し、検出された人物の数Ｎをカウントする。また、それぞれ両眼の位置座標からその中点である顔座標Ｐ（Ｎ）をそれぞれ求める。顔位置判定部２４は、顔座標Ｐ（Ｎ）が静止画の中央エリアＡ１と周辺エリアＡ２のいずれに属するかを判定する。
【００３８】
両眼距離算出部２５は、一人の人物についてそれぞれ両眼距離ｄ（Ｎ）を算出する。両眼距離判定部２６は、静止画の解像度から基準値Ｄを算出し、各人物について求められた両眼距離ｄ（Ｎ）を基準値Ｄと比較する。被写体人数算出部２７は、中央エリアＡ１に属する人物のうち、両眼距離ｄ（Ｎ）が基準値Ｄより大きい人物の数を計数し、人数Ｎａを求める。また、周辺エリアＡ２に属する人物のうち、両眼距離ｄ（Ｎ）が基準値Ｄより大きい人物の数を計数し、人数Ｎｂを求める。再生時間設定部２８は、人数Ｎａと人数Ｎｂの合計が基準人数Ｍよりも大きいか否かを判定し、その判定結果に応じて決められた計算式から、再生時間Ｔを算出する。
【００３９】
ＣＰＵ１１は、１枚目の静止画の画像データを画像表示パネル１９に出力し、画像表示パネル１９に１枚目の静止画を表示させる。ＣＰＵ１１は、１枚目の静止画が再生表示される時間のカウントを開始する。１枚目の静止画が再生表示されている間、ＣＰＵ１１は次に再生表示する静止画の有無を確認する。次に再生表示する静止画がある場合には、その再生時間の設定が行われる。上述と同様にして、両眼抽出部２２は、２枚目の静止画の画像データがメモリ１２から読み込む。読み込まれた２枚目の静止画から人物の両眼が抽出され、人物数Ｎ、顔座標Ｐ（Ｎ）、両眼距離ｄ（Ｎ）が求められる。また、中央エリアＡ１に属する人数Ｎａと、周辺エリアＡ２に属する人数Ｎｂとが求められ、再生時間Ｔが算出される。
【００４０】
ＣＰＵ１１は、１枚目の静止画の再生時間が求められた再生時間に達すると、２枚目の静止画を再生表示する。２枚目の静止画の再生時間が求められた再生時間に達すると、３枚目の静止画を再生表示する。このようにして、画像表示パネル１９では、被写体の人物の数に応じて適切な再生時間が設定された静止画のスライドショーが行われる。ユーザーは、多数の人物が写る静止画を一人ずつ目で追いかけながらゆっくり観賞できる。また、写る人物の少ない静止画は一目見るだけで次の静止画に切り替わるので、快適にスライドショーを楽しむことができる。
【００４１】
なお、画像再生装置１０は、１枚の静止画を再生表示する間に、次に再生表示する静止画の再生時間を求めるようにしているが、静止画が高解像度になることで両眼抽出や人数特定に要する時間が増加し、１枚の静止画を再生表示する間に次の静止画の再生時間を求めることが困難になる場合には、全ての静止画の再生時間を求めた後、静止画の再生表示を開始するようにしてもよい。この場合、静止画の再生表示が開始されるまでに要する時間が多くなることになるため、再生時間を求めるプロセスを簡略化してもよい。例えば、図６に示すように、画像再生装置１０に、例えば、速度優先モード、普通モード、精度優先モードの３種類のプロセスを用意し、ユーザーにより選択されたプロセスを実行するようにしてもよい。
【００４２】
速度優先モードは、静止画の再生表示が開始されるまでの時間を短くすることを最優先としたプロセスであり、両眼の抽出と、人数Ｎの特定のみを行い再生時間を算出するものである。精度優先モードは、上記画像再生装置１０と同様に、両眼の抽出と、人数Ｎの特定、両眼距離ｄ（Ｎ）に基づく顔サイズの判定、中央エリアＡ１内の人数Ｎａと周辺エリアＡ２内の人数Ｎｂによる顔位置の分布の計算に基づいて再生時間を算出するものである。通常モードは、両眼の抽出と、人数Ｎの特定、両眼距離ｄ（Ｎ）に基づく顔サイズの判定を行い、再生時間を算出するものである。速度優先モードは、静止画の再生表示が開始されるまでに要する時間が最も短く、精度優先モードは、静止画の再生表示が開始されるまでに要する時間が最も長い。ユーザーがスライドショーを観賞する用途に応じて、再生時間を算出するプロセスを選択できるようにすることが好適である。
【００４３】
また、画像再生装置１０は、両眼距離ｄ（Ｎ）が基準値Ｄよりも小さいときは、主要被写体の人物として計数しないが、中央エリアＡ１に属する人物のみ、両眼距離ｄ（Ｎ）に基づく判定を行わず、検出された全ての人物を計数してもよい。また、基準値Ｄを設定する変わりに、両眼距離ｄ（Ｎ）が最も大きい人物、すなわち撮影距離が最も小さい人物を主要被写体とし、最も大きい両眼距離との相対差が一定の値以上となる小さい両眼距離で写る人物を除外して人数を計数するようにしてもよい。また、人物画と風景画を振り分け、人物画を風景画よりも先にまとめて再生表示するスライドショーや風景画のみを先に再生表示するスライドショーが実行されるようにしてもよい。
【００４４】
さらに、画像再生装置１０は、静止画のスライドショーを各静止画の内容ごとに異なる再生時間で再生表示するものであるが、画像再生プログラムに、フォトムービー作成プログラムを組み込むことにより、図７に示すように、スライドショーとフォトムービーのいずれかをユーザーの選択により実行できるようにしてもよい。
【００４５】
フォトムービーは、静止画に所定の加工処理を行うことにより、静止画を特殊エフェクトの付与された動画として再生表示するものである。特殊エフェクトには、周知のように、静止画の一部を切り出した画像を画面全体に表示すると共に、切り出す範囲の大きさを変更することで倍率を変化させながら静止画を再生表示するズームエフェクト、切り出す範囲を一定としたまま切り出す位置を変えるパーンエフェクト、再生表示中の静止画を徐々に透明にしながら次に再生表示される静止画を徐々に濃くして再生表示するディゾルブエフェクト、再生表示中の静止画を拭き取るようにして画面の端から次の静止画を再生表示するワイプエフェクト等が予め用意されている。静止画に写る人物の数から再生時間が求められると、各静止画のフォトムービーに適用される特殊エフェクトが決定する。特殊エフェクトは、予め用意されたものの中から無作為に決められる。
【００４６】
各静止画から特殊エフェクトに基づく加工処理が行われ、フォトムービーを構成する動画フレームとなる静止画が生成される。各静止画から生成される動画のフレーム数は、例えば毎秒３０コマの再生時間分に応じた数となる。各静止画を使用したフォトムービーが設定された再生時間だけ再生表示され、全ての静止画が動画として再生表示される。
【００４７】
なお、本発明は、静止画のスライドショーや、フォトムービーを再生表示する目的のみで構成される装置ではなく、デジタルスチルカメラや静止画の撮影が可能なデジタルビデオカメラ等の画像記録装置に設けることが好適である。また、パーソナルコンピュータ等の汎用コンピュータにインストールされることにより、その機能が実現されるアプリケーションプログラムとして配布できるように記憶媒体に記憶された形態であってもよい。
【図面の簡単な説明】
【００４８】
【図１】画像再生装置の概略構成を示すブロック図である。
【図２】複数の領域に分割された静止画と、人物の両眼距離を示す説明図である
【図３】中央エリアと周辺エリアを示す概念図である。
【図４】画像再生装置の処理手順の流れを示すフローチャートである。
【図５】再生時間を設定する処理手順の流れを示すフローチャートである。
【図６】異なる実施形態の画像再生装置の作用を示すフローチャートである。
【図７】スライドショーの表示とフォトムービーの作成を選択できる画像再生装置を説明するためのフローチャートである。
【符号の説明】
【００４９】
１０  画像再生装置
１１  ＣＰＵ
１２  メモリ
１３  光ディスク
１４  光ディスク読取り部
１５  メモリカード
１６  メモリカード読取り部
１８  操作部
１９  画像表示パネル
２２  両眼抽出部
２３  両眼座標算出部
２４  顔位置判定部
２５  両眼距離算出部
２６  両眼距離判定部
２７  被写体人数算出部
２８  再生時間設定部
【図１】
2006245646.tif 000003
【図２】
2006245646.tif 000004
【図３】
2006245646.tif 000005
【図４】
2006245646.tif 000006
【図５】
2006245646.tif 000007
【図６】
2006245646.tif 000008
【図７】
2006245646.tif 000009